(57)【特許請求の範囲】
【請求項１】
天板１１、１対の側板１２、１３、および後板１４より形成される上部ケース１と、底板２１、１対の側板２２、２３、および後板２４より形成される下部ケース２からなり、前記下部ケース２の１対の前記側板２２、２３、および後板２４が内側に、前記上部ケース１の１対の前記側板１２、１３、および後板１４が外側になるように勘合されてなり、開口面に隣接する２つの側板１２、１３の勘合面で長さ方向に一定の幅スライドし、中に収納されているミニディスクカートリッジを取り出しやすくしているミニディスクカートリッジ用収納ケースであって、
前記上部ケース１では、前記側板１２、１３の内側の略中央に、係合溝が前記天板１１と平行に形成され、前記天板１１の下面で前記側板１２、１３の内側に隣接した位置で、前記上部ケース１と前記下部ケース２とがスライドする範囲の長さの位置に、スライドを止めるための係止凸部が設けられ、
前記下部ケース２では、両前記側板２２、２３の外側の略中央には、係合突条２６、２７が形成され、前記側板２２、２３においては、前記開口面から一定の幅の部分は上部ケース１に設けた係止凸部１８、１９の高さと同等の段差を設けて低くし、前記上部ケース１と前記下部ケース２とをスライドした際に、前記下部ケース２の前記側板２２、２３の段差の高い部分が、前記係止凸部１８、１９に当たり、スライドが停止することを特徴とするミニディスクカートリッジ用収納ケース。
【発明の詳細な説明】
【０００１】
【発明の属する技術分野】
本発明は、磁気ディスク、光ディスクなどのミニディスクカートリッジを収納するための収納ケースに関する。
【０００２】
【従来の技術】
近年、種々の記録媒体が開発されている。その一つとして、ミニディスクカートリッジが知られている。このミニディスクは、プラスチック製のカートリッジに入れられ、さらにミニディスクが内蔵されたカートリッジは、ミニディスクカートリッジ用収納ケースに収納されている。
従来のミニディスクカートリッジ用収納ケースとしては、いわゆるスリーブ形状のものが使用されている。
【０００３】
【発明が解決しようとする課題】
しかしながら、現状のスリーブ形状のミニディスクカートリッジ用収納ケースでは、収納ケースからミニディスクカートリッジを取り出すのに片手では難しく、両手で取り出す必要がある。従って、従来のスリーブ形状のミニディスクカートリッジ用収納ケースは、ミニディスクカートリッジを録音再生機から出し入れする際に、蓋などを開け閉めすることなく、挿入口にミニディスクカートリッジを差し込む方式であるスロットイン方式に適応していない。
また、自動車内などで使用する場合には、片手で取り出しをする場合が多く、現状のスリーブ形状のミニディスクカートリッジ用収納ケースでは、使用性が悪いという問題がある。
【０００４】
本発明は、上記のような問題点を解決するためのものであり、その目的とするところは、収納ケースからミニディスクカートリッジを片手で、容易に取り出すことができるミニディスクカートリッジ用収納ケースで、従って、ミニディスクカートリッジを録音再生機から出し入れする際に、蓋などを開けしめすることなく、挿入口にミニディスクカートリッジを差し込む方式であるスロットイン方式に適応するミニディスクカートリッジ用収納ケースを提供することにある。
【０００５】
【課題を解決するための手段】
上記目的を達成するための、本発明のミニディスクカートリッジ用収納ケースは、天板１１、１対の側板１２、１３、および後板１４より形成される上部ケース１と、底板２１、１対の側板２２、２３、および後板２４より形成される下部ケース２からなり、前記下部ケース２の１対の前記側板２２、２３、および後板２４が内側に、前記上部ケース１の１対の前記側板１２、１３、および後板１４が外側になるように勘合されてなり、開口面に隣接する２つの側板１２、１３の勘合面で長さ方向に一定の幅スライドし、中に収納されているミニディスクカートリッジを取り出しやすくしているミニディスクカートリッジ用収納ケースであって、前記上部ケース１では、前記側板１２、１３の内側の略中央に、係合溝が前記天板１１と平行に形成され、前記天板１１の下面で前記側板１２、１３の内側に隣接した位置で、前記上部ケース１と前記下部ケース２とがスライドする範囲の長さの位置に、スライドを止めるための係止凸部が設けられ、前記下部ケース２では、両前記側板２２、２３の外側の略中央には、係合突条２６、２７が形成され、前記側板２２、２３においては、前記開口面から一定の幅の部分は上部ケース１に設けた係止凸部１８、１９の高さと同等の段差を設けて低くし、前記上部ケース１と前記下部ケース２とをスライドした際に、前記下部ケース２の前記側板２２、２３の段差の高い部分が、前記係止凸部１８、１９に当たり、スライドが停止することを特徴とするミニディスクカートリッジ用収納ケースである。
【０００６】
本発明によれば、収納ケースからミニディスクカートリッジを片手で、容易に取り出すことができ、さらに、ミニディスクカートリッジを録音再生機から出し入れする際に、蓋などを開けしめすることなく、挿入口にミニディスクカートリッジを差し込む方式であるスロットイン方式に適応するミニディスクカートリッジ用収納ケースを得ることができる。
【０００７】
【発明の実施の形態】
以下に、図を参照にしながら、本発明のミニディスクカートリッジ用収納ケースについて、詳しく説明する。図１は、本発明によるミニディスクカートリッジ用収納ケースの一実施例にミニディスクカートリッジが納まっている状態を示す斜視図である。図２は、本発明によるミニディスクカートリッジ用収納ケースの一実施例からミニディスクカートリッジが取り出される状態を示す斜視図である。図３は、本発明によるミニディスクカートリッジ用収納ケースの一実施例からミニディスクカートリッジが取り出された状態を示す斜視図である。図４は、ミニディスクカートリッジを示す斜視図である。図５は、本発明によるミニディスクカートリッジ用収納ケースの一実施例の上部ケースを示す斜視図である。図６は、本発明によるミニディスクカートリッジ用収納ケースの一実施例の下部ケースを示す斜視図である。図７は、本発明によるミニディスクカートリッジ用収納ケースの一実施例の上部ケースと下部ケースをスライドさせた状態を示す一断面図である。図８は、本発明によるミニディスクカートリッジ用収納ケースの一実施例の上部ケースと下部ケースを勘合した状態を示す開口面に平行な一断面図である。図９は、本発明によるミニディスクカートリッジ用収納ケースの一実施例の下部ケースに設けた係止突起を示す斜視図である。図１０は、本発明によるミニディスクカートリッジ用収納ケースの一実施例からミニディスクカートリッジを取り出すところを示す斜視図である。
【０００８】
図１、図２および図３には、本発明に係るミニディスクカートリッジ用収納ケースを示している。これらの図に示すように、ミニディスクカートリッジ用収納ケースＡは、上部ケース１と下部ケース２とから構成されている。上部ケース１は、天板１１、開口面３に隣接する側板１２、１３、および開口面３に対向する後板１４より形成されている。下部ケース２は、底板２１、開口面３に隣接する側板２２、２３、および開口面３に対向する後板２４より形成されている。
【０００９】
図３および図４には、ミニディスクカートリッジＢを示している。このミニディスクカートリッジＢは、合成樹脂によって成形されており、矩形の形状をしている。内部には、記録媒体であるミニディスク４を回転可能で収納している。このミニディスク４は中心の回転部５を持っている。また、一側面に記録再生用開口部６があり、この記録再生用開口部６はスライド可能なシャッター部７により開閉が可能となっている。さらに、ミニディスクカートリッジＢの下側面の端部に１対の凹部８、９が設けられている。この凹部８、９を利用することにより、ミニディスクカートリッジＢが、ミニディスクカートリッジ用収納ケースＡ内にロックされ、ぴったりと納まる。
【００１０】
上部ケース１では、図５に示すように、天板１１がミニディスクカートリッジＢとほぼ同じ大きさとなっている。その天板１１の下面の両側端部に側板１２、１３が形成される。そして、下面の開口面３に対向する後側端部に後板１４が形成される。これらの側板１２、１３、および後板１４の高さは、ミニディスクカートリッジＢの厚さに等しく設定される。また、側板１２、１３、および後板１４は天板１１と一体となっている。
【００１１】
天板１１の開口面側には、切り欠け部１５を設け、ミニディスクカートリッジ用収納ケースＡからミニディスクカートリッジＢを取り出し易くしている。
【００１２】
また、両側板１２、１３の内側には、係合溝１６、１７が形成されている。これらの係合溝１６、１７は、両側板１２、１３の内側のほぼ中央に、天板１１に平行に設けられる。上部ケース１と下部ケース２とを組合せた時に、上部ケース１と下部ケース２とがスライドするように設計されている。
【００１３】
さらに、天板１１の下面で両側板１２、１３の内側に隣接した位置で、開口面３から１０〜２０ｍｍの位置、つまり上部ケース１と下部ケース２とがスライドする範囲の長さの位置に、スライドを止めるための係止凸部１８、１９を設けている。この係止凸部１８、１９に下部ケース２の側板２２、２３の高い部分があたり、上部ケース１と下部ケース２とのスライドが停止する。このスライドする幅は、つぎに、ミニディスクカートリッジＢを取り出しやすい幅、約１０〜２０ｍｍに設定される。天板１１の開口面３側に切り欠け部１５を設けることにより、スライドする幅が縮小できる。
【００１４】
上部ケース１の材料には、例えば、ポリスチレン樹脂、ポリ塩化ビニル樹脂、ポリプロピレン樹脂、アクリル樹脂（ポリメチルメタクリレートなど）、ポリカーボネート樹脂、ポリエステル樹脂、ポリアミド樹脂、アセタール樹脂、アクリルニトリル−ブタジエン−スチレン樹脂などが使用でき、例えば、射出成形、押し出し成形など公知の成形方法を利用して製造することができる。上部ケース１は透明材料を使用することによって、中のミニディスクカートリッジＢが見やすく好ましい。
【００１５】
つぎに、下部ケース２では、図６に示すように、底板２１がミニディスクカートリッジＢとほぼ同じ大きさとなっている。その底板２１の上面の両側端部に側板２２、２３が形成される。そして、上面の開口面３に対向する後側端部に後板２４が形成される。これらの側板２２、２３、および後板２４の高さは、ミニディスクカートリッジＢの厚さに等しく設定されるが、開口面３から１０〜２０ｍｍの部分は段差を設けて低くする。この段差の幅は、上部ケース１に設けた係止凸部１８、１９の高さと同等とする。上部ケース１と下部ケース２とをスライドした際に、図７に示すように、この下部ケース２の側板２２、２３の段差の高い部分が、係止凸部１８、１９に当たり、スライドが停止する。また、側板２２、２３、および後板２４は底板２１と一体となっている。
【００１６】
底板２１の開口面側には、切り欠け部２５を設け、ミニディスクカートリッジ用収納ケースＡからミニディスクカートリッジＢを取り出し易くしている。
【００１７】
また、両側板２２、２３の外側には、係合突条２６、２７が形成されている。これらの係合突条２６、２７は、両側板２２、２３の内側のほぼ中央に、天板１１に平行に設けられる。上部ケース１と下部ケース２とを組合せた時に、スライドするように設計されている。この係合溝１６、１７を設けた上部ケース１と係合突条２６、２７をもうけた下部ケース２とを勘合してなるミニディスクカートリッジ用収納ケースＡは、開口面３と平行な断面が図８−ａのようになる。ただし、上部ケース１と下部ケース２とのスライドが可能であれば、この形状に限定されることはなく、例えば、図８−ｂ、図８−ｃのような形状でもよい。
【００１８】
さらに、下部ケース２では、底板２１の開口面３に近く、かつ、両側板２２、２３に近い位置、あるいは両側面２２、２３の開口面３に近く、かつ、底板２１に隣接する位置、つまり、ミニディスクカートリッジ用収納ケースＡにミニディスクカートリッジＢを収納した際に、ミニディスクカートリッジＢの下面に設けられた凹部８、９に対応する位置に一対の係止突起２８、２９を設け、ミニディスクカートリッジＢがミニディスクカートリッジ用収納ケースＡに納まりやすく、かつ脱落を防いでいる。この係止突起２８、２９を設ける方法としては、底面２１上あるいは両側面２２、２３上に単に係止突起を設ける方法と、スプリング効果をもたせた係止突起を設ける方法とがある。
前者は、底面２１上あるいは両側面２２、２３上に、ミニディスクカートリッジＢの下面に設けられた凹部８、９の大きさよりやや小さい高さ、面積の凸部を設け係止突起２８、２９とする。（図は省略する。）
後者は、底板２１上に設ける場合に用いられる方法で、図９に示すように、係止突起２８、２９の周辺に切り溝３０を設け、残された部分３１がスプリング効果を持ち、ミニディスクカートリッジＢの収まりを良くする。
【００１９】
下部ケース２の材料には、上部ケース１と同様に、例えば、ポリスチレン樹脂、ポリ塩化ビニル樹脂、ポリプロピレン樹脂、アクリル樹脂（ポリメチルメタクリレートなど）、ポリカーボネート樹脂、ポリエステル樹脂、ポリアミド樹脂、アセタール樹脂、アクリルニトリル−ブタジエン−スチレン樹脂などが使用でき、例えば、射出成形、押し出し成形など公知の成形方法を利用して製造することができる。
【００２０】
実際に、ミニディスクカートリッジＢを、片手でミニディスクカートリッジ用収納ケースＡから取り出すには、図１０に示すように、まず、上部ケース１を開口面３と反対の方向へ指でスライドさせ、つぎに、ミニディスクカートリッジＢを同一の指で開口面３の方向へ取り出す。
【００２１】
【発明の効果】
本発明によれば、収納ケースからミニディスクカートリッジを片手で、容易に取り出すことができ、さらに、ミニディスクカートリッジを録音再生機から出し入れする際に、蓋などを開けしめすることなく、挿入口にミニディスクカートリッジを差し込む方式であるスロットイン方式に適応するミニディスクカートリッジ用収納ケースを得ることができる。
【図面の簡単な説明】
【図１】本発明によるミニディスクカートリッジ用収納ケースの一実施例にミニディスクカートリッジが納まっている状態を示す斜視図である。
【図２】本発明によるミニディスクカートリッジ用収納ケースの一実施例からミニディスクカートリッジが取り出される状態を示す斜視図である。
【図３】本発明によるミニディスクカートリッジ用収納ケースの一実施例からミニディスクカートリッジが取り出された状態を示す斜視図である。
【図４】ミニディスクカートリッジを示す斜視図である。
【図５】本発明によるミニディスクカートリッジ用収納ケースの一実施例の上部ケースを示す斜視図である。
【図６】本発明によるミニディスクカートリッジ用収納ケースの一実施例の下部ケースを示す斜視図である。
【図７】本発明によるミニディスクカートリッジ用収納ケースの一実施例の上部ケースと下部ケースをスライドさせた状態を示す一断面図である。
【図８】本発明によるミニディスクカートリッジ用収納ケースの一実施例の上部ケースと下部ケースを勘合した状態を示す開口面に平行な一断面図である。
【図９】本発明によるミニディスクカートリッジ用収納ケースの一実施例の下部ケースに設けた係止突起を示す平面図および部分断面図である。
【図１０】本発明によるミニディスクカートリッジ用収納ケースの一実施例からミニディスクカートリッジを取り出すところを示す斜視図である。
【符号の説明】
Ａ  ミニディスクカートリッジ収納ケース
Ｂ  ミニディスクカートリッジ
１  上部ケース
２  下部ケース
３  開口面
４  ディスク
５  シャッター部
６  中心の回転部
７  記録再生用開口部
８  凹部
９  凹部
１１  天板
１２  側板
１３  側板
１４  後板
１５  切り欠け部
１６  係合溝
１７  係合溝
１８  係止凸部
１９  係止凸部
２１  底板
２２  側板
２３  側板
２４  後板
２５  切り欠け部
２６  係合凸条
２７  係合凸条
２８  係止突起
２９  係止突起
３０  切り込み溝
３１  残された部分
【図１】
0003853458.tif 000002
【図２】
0003853458.tif 000003
【図３】
0003853458.tif 000004
【図４】
0003853458.tif 000005
【図５】
0003853458.tif 000006
【図６】
0003853458.tif 000007
【図７】
0003853458.tif 000008
【図８】
0003853458.tif 000009
【図９】
0003853458.tif 000010
【図１０】
0003853458.tif 000011